(57)【要約】【課題】  ユーザがタッチパネル上でタッチ操作する際には、タッチパネル上でスクロール可能な画面を表示している場合に、画面に表示されたwebサイトのアンカーリンクや、チェックボックス等のオブジェクトが小さい、又は密に隣接している場合に、意図しないオブジェクトをタッチし、誤入力が発生するといった課題がある。【解決手段】  入力対象となるオブジェクトを含むコンテンツを表示手段に表示するように制御するコンテンツ制御手段と、前記表示手段表示されているコンテンツからオブジェクトを抽出するオブジェクト抽出手段と、オブジェクトと、当該オブジェクトと同じ機能を有する補助アイコンを対応づけて記憶する記憶手段と、前記記憶手段から、前記抽出されたオブジェクトに対応する補助アイコンを読出し、前記オブジェクトとは別に表示する補助アイコン制御手段とを備える。【選択図】      図１
2015156087.tif 000002
【特許請求の範囲】
【請求項１】
入力対象となるオブジェクトを含むコンテンツを表示手段に表示するように制御するコンテンツ制御手段と、
前記表示手段表示されているコンテンツからオブジェクトを抽出するオブジェクト抽出手段と、
オブジェクトと、当該オブジェクトと同じ機能を有する補助アイコンを対応づけて記憶する記憶手段と、
前記記憶手段から、前記抽出されたオブジェクトに対応する補助アイコンを読出し、前記オブジェクトとは別に表示する補助アイコン制御手段と、
を備える入力装置。
【請求項２】
前記抽出されたオブジェクトの優先度を算出する優先度算出手段をさらに備え、前記補助アイコン制御手段は前記優先度に基づいて前記抽出されたオブジェクトに対応する補助アイコンを前記オブジェクトとは別に表示する、
請求項１記載の入力装置。
【請求項３】
前記オブジェクト抽出手段は、ユーザに選択された領域に含まれるオブジェクトを抽出する、
請求項１または請求項２記載の入力装置。
【請求項４】
入力対象となるオブジェクトを含むコンテンツを表示手段に表示するように制御し、
前記表示手段表示されているコンテンツからオブジェクトを抽出するオブジェクト抽出し、
オブジェクトと、当該オブジェクトと同じ機能を有する補助アイコンを対応づけて記憶し、
前記記憶手段から、前記抽出されたオブジェクトに対応する補助アイコンを読出し、前記オブジェクトとは別に表示する、入力方法。
【請求項５】
前記抽出されたオブジェクトの優先度を算出し、前記優先度に基づいて前記抽出されたオブジェクトに対応する補助アイコンを前記オブジェクトとは別に表示する、請求項４記載の入力方法。
【請求項６】
ユーザに選択された領域に含まれるオブジェクトを抽出する、請求項４または請求項５記載の入力方法。
【請求項７】
入力対象となるオブジェクトを含むコンテンツを表示手段に表示するように制御するコンテンツ制御ステップと、
前記表示手段表示されているコンテンツからオブジェクトを抽出するオブジェクト抽出ステップと、
オブジェクトと、当該オブジェクトと同じ機能を有する補助アイコンを対応づけて記憶する記憶ステップと、
前記記憶ステップから、前記抽出されたオブジェクトに対応する補助アイコンを読出し、前記オブジェクトとは別に表示する補助アイコン制御ステップと、
をコンピュータに実行させる入力プログラム。
【請求項８】
前記抽出されたオブジェクトの優先度を算出する優先度算出ステップをさらに備え、前記補助アイコン制御ステップは前記優先度に基づいて前記抽出されたオブジェクトに対応する補助アイコンを前記オブジェクトとは別に表示する、請求項７記載の入力プログラム。
【請求項９】
前記オブジェクト抽出ステップは、ユーザに選択された領域に含まれるオブジェクトを抽出する、請求項７または請求項８記載の入力プログラム。
【発明の詳細な説明】
【技術分野】
【０００１】
本発明は、タッチパネルを使用した端末の入力装置、入力方法及びそのプログラムに関する。
【背景技術】
【０００２】
特許文献１は、タッチパネル入力補助装置を開示している。この装置では、平面形状のタッチパネルに脱着可能なボタン式入力シートを複数具備する。さらに、各ボタン式入力シートは、タッチパネルの感知領域に対応した凸状のボタンをそれぞれ有するため、操作者はタッチ操作時に、良好なクリック感を得ることができ、誤入力を防止することができる。
【先行技術文献】
【特許文献】
【０００３】
【特許文献１】特開２０１１−２３３００４号公報
【発明の概要】
【発明が解決しようとする課題】
【０００４】
特許文献１には、タッチパネル上での操作において、タッチパネルに脱着可能なボタン式入力シートを具備することで良好なクリック感を得ることでき、誤入力を防止することができるといった記載はある。ユーザがタッチパネル上でタッチ操作する際には、タッチパネル上でスクロール可能な画面を表示している場合に、画面に表示されたwebサイトのアンカーリンクや、チェックボックス等のオブジェクトが小さい、又は密に隣接している場合に、意図しないオブジェクトをタッチし、誤入力が発生するといった課題がある。しかし、特許文献１記載の技術ではこの課題を解決することはできない。
【０００５】
そこで、本発明は上記課題を解決した入力装置、入力方法及びそのプログラムを提供することを目的とする。
【課題を解決するための手段】
【０００６】
かかる目的を達成するため、本発明の入力装置は、入力対象となるオブジェクトを含むコンテンツを表示手段に表示するように制御するコンテンツ制御手段と、前記表示手段表示されているコンテンツからオブジェクトを抽出するオブジェクト抽出手段と、オブジェクトと、当該オブジェクトと同じ機能を有する補助アイコンを対応づけて記憶する記憶手段と、前記記憶手段から、前記抽出されたオブジェクトに対応する補助アイコンを読出し、前記オブジェクトとは別に表示する補助アイコン制御手段とを備える。
【０００７】
また、本発明は、入力対象となるオブジェクトを含むコンテンツを表示手段に表示するように制御し、前記表示手段表示されているコンテンツからオブジェクトを抽出するオブジェクト抽出し、オブジェクトと、当該オブジェクトと同じ機能を有する補助アイコンを対応づけて記憶し、前記記憶手段から、前記抽出されたオブジェクトに対応する補助アイコンを読出し、前記オブジェクトとは別に表示する入力方法を提供する。
【０００８】
さらに、本発明は、入力対象となるオブジェクトを含むコンテンツを表示手段に表示するように制御するコンテンツ制御ステップと、前記表示手段表示されているコンテンツからオブジェクトを抽出するオブジェクト抽出ステップと、オブジェクトと、当該オブジェクトと同じ機能を有する補助アイコンを対応づけて記憶する記憶ステップと、前記記憶ステップから、前記抽出されたオブジェクトに対応する補助アイコンを読出し、前記オブジェクトとは別に表示する補助アイコン制御ステップと、をコンピュータに実行させる入力プログラムを提供する。
【発明の効果】
【０００９】
本発明は、ユーザがタッチパネル上で入力操作する際に、誤入力を防止することができる。
【図面の簡単な説明】
【００１０】
【図１】第１の実施形態に係る入力装置１００の構成を示す図である。
【図２】第１の実施形態に係る入力装置１００の動作手順を示す図である。
【図３】第１の実施形態に係る記憶部６０で記憶している情報を示す図である。
【図４】第１の実施形態に係る入力装置１００の表示画面を示す図である。
【図５】第２の実施形態に係る入力装置１００の構成を示す図である。
【図６】第２の実施形態に係る入力装置１００の動作手順を示す図である。
【図７】第２の実施形態に係る記憶部６０で記憶している情報を示す図である。
【図８】第３の実施形態に係る入力装置１００の構成を示す図である。
【図９】第３の実施形態に係る入力装置１００の動作手順を示す図である。
【図１０】選択された領域の第１の例を示す図である。
【図１１】選択された領域の第２の例を示す図である。
【図１２】選択された領域の第３の例を示す図である。
【図１３】第４の実施形態に係る入力装置１００の構成を示す図である。
【図１４】第４の実施形態に係る入力装置１００の動作手順を示す図である。
【図１５】各点の座標情報を示す図である。
【発明を実施するための形態】
【００１１】
＜第１の実施形態＞
以下、図面を参照して本発明に係る入力装置１００の実施形態を説明する。図１は、本実施形態に係る入力装置１００の構成を示す図である。本実施形態に係る入力装置１００は、コンテンツ制御部１０、オブジェクト抽出部２０、補助アイコン制御部３０、及び記憶部６０を包含する。また、コンテンツ制御部１０、及び補助アイコン制御部３０は、図示しない表示装置にそれぞれ接続されている。
【００１２】
表示装置は、例えば、タッチパネルである。入力装置１００は、携帯電話、スマートフォン、ＰＨＳ（Personal Handy-phone System）、ＰＤＡ（Personal Digital Assistant）、タブレット端末、及びＰＣ（Personal  Computer）など一般的な端末が有する電話機能、無線ＬＡＮ（Local Area Network）通信機能などの他の機能を備える。入力装置１００には、ＯＳ（Operating System）が導入され、webブラウザをＯＳ上で動作するアプリケーションとして実行する。なお、本願発明における入力装置１００は、webページを取得する機能、webページのレンダリング情報から、webページ全体に対する、表示画面の位置情報を取得する機能などを備える。
【００１３】
図３は、本実施形態に係る記憶部６０で記憶している情報を示す図である。本実施形態に係る記憶部６０は、予め各々のオブジェクト名、オブジェクト名に対応する処理を実行するためのアドレス情報、オブジェクトの開始位置と終了位置の座標情報と、それに対応する補助アイコンを記憶している。
【００１４】
また、本発明に係る入力装置１００を構成する各部は、論理回路等のハードウェアで構成される。また、各部は、コンピュータの制御部、記憶部、記憶部のロードされたプログラム、プログラムを格納するハードディスク等の記憶ユニット等からなり、ハードウェアとソフトウェアの任意の組合せによって実現されても良い。そして、断りのない限り、その実現方法、装置は限定されない。
【００１５】
図２は、本実施形態に係る入力装置１００の動作手順を示す図である。以下、図２を参照しながら、本実施形態に係る入力装置１００の動作手順を具体的に説明する。コンテンツ制御部１０は、表示装置にコンテンツを表示するように制御する。具体的には、ユーザが表示装置に表示されているオブジェクトをタッチすると、タッチされたオブジェクトに対応する処理を実行する。ここで、コンテンツとは、動画や静止画を含む画像、及びWebページ、Word文書等の文字等を含む。また、オブジェクトとは、表示装置に表示されたコンテンツに含まれる、webサイトのアンカーリンクや、チェックボックス等を指す。
【００１６】
さらに、コンテンツ制御部１０は、ユーザのスクロール操作を認識し、表示装置に表示されているコンテンツの表示画面上での開始位置と終了位置の座標情報を取得し、オブジェクト抽出部２０へ座標情報を送信する（ステップＳ１）。
【００１７】
図１５は、各点の座標情報を示す図である。具体的には、コンテンツ全体の開始位置の座標情報(0,0)、終了位置の座標情報(X1,Y1)と定義すると、表示装置に表示されているコンテンツの開始位置の座標情報は(X2,Y2)、終了位置の座標情報は(X3,Y3)と定義できる。同様に、オブジェクトの開始位置の座標情報は(X4,Y4)、終了位置の座標情報は(X5,X5)と定義できる。各点の座標情報を特定することで、表示装置に表示されているコンテンツ、及びオブジェクトの領域が特定できる。
【００１８】
オブジェクト抽出部２０は、コンテンツ制御部１０から、表示装置に表示されているコンテンツの座標情報を取得すると、表示装置に表示されているコンテンツの領域内に含まれるオブジェクトを抽出し、さらにその座標情報を抽出する。つまり、オブジェクト抽出部２０は、コンテンツの領域内に含まれるwebサイトのアンカーリンクや、チェックボックス等をオブジェクトとして、そのオブジェクトの開始位置と終了位置の座標情報を抽出する。表示されているコンテンツの領域内に含まれるオブジェクト、及びその座標情報の抽出は、既存技術を用いて行うものとする。
【００１９】
オブジェクト抽出手段２０で抽出されたオブジェクトの座標情報は、補助アイコン制御部３０へ送信される（ステップＳ２）。
【００２０】
補助アイコン制御部３０では、オブジェクト抽出部２０で抽出されたオブジェクトの座標情報に対応する補助アイコンを特定し、該オブジェクトとは別の領域に表示する（ステップＳ３）。ここで、補助アイコンとは、各々のオブジェクトに付与され、この補助アイコンをタッチすることで、各々のオブジェクトに対応する処理を実行することができるアイコンである。
【００２１】
具体的には、補助アイコン制御部３０は、オブジェクト抽出部２０から、オブジェクトの座標情報を取得すると、記憶部６０から該オブジェクトの座標情報に対応する補助アイコンを特定する。さらに、補助アイコン制御部３０は、特定した補助アイコンを、オブジェクトとは別の領域に補助アイコンを表示する（ステップＳ３）。
【００２２】
図４は、本実施形態に係る入力装置１００の表示画面を示す図である。各々のオブジェクトには、対応する補助アイコンが吹き出し状に表示されている。さらに、この吹き出し状に表示された補助アイコンは１〜５まで、表示画面の下部にも配置されている。吹き出し状の補助アイコンをタッチすると、当該補助アイコンが収容する内容など当該補助アイコンの詳細情報が表示されてもよい。
【００２３】
ユーザが、表示画面に表示された補助アイコンをタッチすると、コンテンツ制御部１０は、該補助アイコンに対応したオブジェクトの処理が実行される。さらに、表示画面の下部に横一列に表示されている補助アイコンの大きさ、各々の補助アイコンの配置間隔については、図４に示したものに限定されることはなく、本願発明のスコープ内で当業者が理解しうるような様々な変更をすることができる。
【００２４】
また、ユーザは、画面右下のアイコン「表示/非表示」アイコンをタッチすることで、補助アイコンの表示/非表示を設定することができる。なお、本実施形態において、表示装置に表示されている画面のタッチは、ユーザの指で行っても良いし、ペンなどを用いて画面のタッチを行ってもよい。
【００２５】
以上、実施形態を参照して本願発明を説明してきたが、本願発明は、上記実施形態に限定されるものではない。本願発明の構成や詳細には、本願発明のスコープ内で当業者が理解しうるような様々な変更をすることができる。
＜第２の実施形態＞
図５は、第２の実施形態に係る入力装置１００の構成を示す図である。本実施形態に係る入力装置１００は、コンテンツ制御部１０、オブジェクト抽出部２０、補助アイコン制御部３０、優先度算出部４０、及び記憶部６０を包含する。また、コンテンツ制御部１０、補助アイコン制御部３０、及び優先度算出部４０は、記憶部６０にそれぞれ接続されている。また、コンテンツ制御部１０、及び補助ボタン制御部３０は図示しない表示装置に接続されている。
【００２６】
本実施形態における入力装置１００、及び表示装置は、前述の実施形態と同様であるため、ここでは説明を省略する。以下に優先度算出部４０について詳述する。優先度算出部４０は、コンテンツ領域内に含まれる各々のオブジェクトのスコア、及び優先度を算出する。ここで、優先度とは、どのオブジェクトに対応する補助アイコンを優先的に表示させるかの指標となる値である。つまり、オブジェクトの優先度の値が大きいほど、対応する補助アイコンを優先的に表示される。
【００２７】
図７は、本実施形態に係る記憶部６０で記憶している情報を示す図である。本実施形態に係る記憶部６０には、予め各々のオブジェクト名、オブジェクト名に対応する処理を実行するためのアドレス情報、オブジェクトの開始位置と終了位置の座標情報と、オブジェクトの長さ、スコア、優先度、及びオブジェクトに対応する補助アイコンが記憶されている。さらに、記憶装置には、ユーザの指が表示装置にタッチした際に検出されたユーザの指の接触開始位置と終了位置を示す座標情報、及びタッチしている指の長さを記憶している。
【００２８】
ここで、ユーザの指の接触開始位置と終了位置を示す座標情報は、投影型静電容量方式や表面型静電容量方式などを用いることで行っても良い。つまり、タッチパネルに備わったタッチセンサが、ユーザの指が近付くと、指とセンサ間の静電容量の変化、または周辺の電極パターンから電流の変化を検出することで、ユーザの指の座標情報を取得する。
【００２９】
オブジェクトの長さは、オブジェクトの開始位置と終了位置の座標情報を用いて算出される。具体的には、オブジェクトの開始位置のＸ座標と、終了位置のＸ座標の差分をとることでオブジェクトのＸ軸方向の長さを算出する。なお、Ｙ軸方向の長さも、同様の方法により算出してもよい。
【００３０】
図６を用いて本実施形態に係る入力装置１００の動作手順を説明する。最初に、コンテンツ制御部１０が、表示装置に表示されているコンテンツの座標情報を取得し、オブジェクト抽出部２０に送信する（ステップＳ１）。
【００３１】
オブジェクト抽出部２０は、コンテンツ制御部１０からコンテンツの座標情報を取得すると、コンテンツの領域内に含まれるオブジェクトを抽出し、抽出したオブジェクトの開始位置と終了位置の座標情報を優先度算出部４０へ送信する（ステップＳ２）。
【００３２】
優先度算出部４０は、記憶部６０を参照し、オブジェクトの座標情報に対応するオブジェクトの長さと、ユーザの指の長さを抽出すると、所定の評価式に代入し、オブジェクトのスコアを算出し、記憶装置に記憶する（ステップＳ３）。
【００３３】
優先度算出部４０は、記憶部６０からユーザの指のＸ軸方向、及びＹ軸方向の長さ（Ｘ’,Ｙ’）、及びオブジェクトのＸ軸方向、及びＹ軸方向の長さ（Ｘ,Ｙ）を取得し、各々の座標情報を下記の評価式（１）を用いてスコアを算出する。
(X’- X)2+(Y’- Y)2 ・・・評価式（１）
【００３４】
評価式（１）は、ユーザの指のＸ軸方向の長さ(X’)からオブジェクトのＸ軸方向の長さ(X)を減じた値の２乗値と、ユーザの指のＹ軸方向の長さ(Y’)からオブジェクトのＹ軸方向の長さ (Y)を減じたものの２乗値とを加えた算出した値をスコアとし、これを評価したものである。
【００３５】
この評価式では、(X’- X)、及び(Y’- Y)が０以下の値となった場合、０として評価する。(X’- X)、及び(Y’- Y) の値が大きいほど、これらを２乗して加えた値も大きくなるため、算出されたスコアも大きくなる。
【００３６】
スコアが大きいということは、ユーザの指が、オブジェクトに比べ大きく、ユーザにとって、タッチミスの可能性の高いオブジェクトであるといえる。そのため、補助アイコンとして表示するための優先度を高く設定する。オブジェクトの優先度は、スコアの大小で決まる。例えば、オブジェクトが複数ある場合には各々のスコアの大小を比較することで決定された優先度の高いオブジェクトの補助アイコンを優先的に表示させるようにしてもよい。
【００３７】
なお、優先度算出部４０で算出した各オブジェクトの優先度は、補助アイコン制御部３０に送信される。また、オブジェクトの優先度はオブジェクト名に対応づけて記憶部６０に記憶される（ステップＳ３）。
【００３８】
補助アイコン制御部３０は、優先度算出部４０から、オブジェクト名とその優先度を受信すると、優先度の高い順から該オブジェクト名に対応する補助アイコンを記憶部６０から読み出し、表示装置に表示する（ステップＳ４）。
【００３９】
本実施形態において、優先度を決定するスコアの算出には評価式（１）を用いたが、これ限られることなく、例えば、オブジェクトとユーザの指の面積同士の比較を行い優先度を決定しても良い。
【００４０】
なお、本実施形態において、表示装置に表示されている画面のタッチは、ユーザの指で行っても良いし、ペンなどを用いて画面のタッチを行ってもよい。
【００４１】
以上、実施形態を参照して本願発明を説明してきたが、本願発明は、上記実施形態に限定されるものではない。本願発明の構成や詳細には、本願発明のスコープ内で当業者が理解しうるような様々な変更をすることができる。
＜第３の実施形態＞
図８は、本実施形態に係る入力装置１００の構成を示す図である。本実施形態に係る入力装置１００は、コンテンツ制御部１０、オブジェクト抽出部２０、補助アイコン制御部３０、受付部５０、及び記憶部６０を包含する。また、コンテンツ制御部１０、補助アイコン制御部３０、及び受付部５０は、図示しない表示装置に接続されている。
【００４２】
本実施形態に係る記憶部６０は、前述の実施形態１と同様に、予め各々のオブジェクト名、オブジェクト名に対応する処理を実行するためのアドレス情報、オブジェクトの開始位置と終了位置の座標情報と、それに対応する補助アイコンを記憶している。さらに、本実施形態に係る記憶部６０には、補助対象を示す領域のテンプレートが予め格納されている。補助対象となる領域とは、補助アイコンを表示したいオブジェクトを含んだ領域のことであり、ユーザによって任意に選択可能である。
【００４３】
補助対象のテンプレートを図１０乃至図１２に示す。図１０は、表示画面のwebブラウザの高さを３分割し、上領域、中央領域、下領域の３つの範囲から選択できるようにしたテンプレートである。ユーザは、「上中下」と示された領域選択ボタンをタッチすることで、上中下の領域選択が可能である。また、ユーザは、選択終了ボタンをタッチすることで、領域選択を終了することができる。
【００４４】
図１１は、ＨＴＭＬ（Hyper Text Markup Language）の論理的な領域の区切りである＜ＤＩＶ＞で区切られた領域を有するテンプレートである。ユーザは、「１２３」と示された領域選択ボタンをタッチすることで、上中下の領域選択が可能である。また、ユーザは、選択終了ボタンをタッチすることで、対応する領域選択を終了することができる。
【００４５】
図１２は、上記２つのテンプレートを合わせたテンプレートである。ユーザは、「上中下」、「１２３」と示された領域選択ボタンをタッチすることで、上中下の領域選択が可能である。また、ユーザは、選択終了ボタンをタッチすることで、対応する領域選択を終了することができる。
【００４６】
図９は、本実施形態の入力装置１００の動作手順を示す図である。最初に、コンテンツ制御部１０は、表示装置に表示されているコンテンツのタッチパネル上での開始位置と終了位置の座標情報をオブジェクト抽出部２０へ送信する（ステップＳ１）。
【００４７】
次に、ユーザは、表示装置に表示されているコンテンツの中から、補助アイコンを表示させたいオブジェクトを含む領域を選択し、当該領域の情報を受付部５０に送信する。受付部５０は、ユーザから受付けた領域の情報をオブジェクト抽出部２０へ送信する（ステップＳ２）。ユーザが領域を選択する方法としては、入力装置１００に実装されている機能である領域選択モードにより、ユーザが記憶部６０を参照し、補助対象を示すテンプレートの中から選択しても良い。また、ユーザが補助アイコンを表示させたいオブジェクトの付近をタッチすると、当該オブジェクトを含むようにある一定領域が特定され、ユーザが選択できるようにしても良い。
【００４８】
オブジェクト抽出部２０は、ユーザが選択した領域に含まれるオブジェクトを抽出し、抽出したオブジェクトの座標情報を補助アイコン制御部３０へ送信する（ステップＳ３）。具体的には、オブジェクト抽出部２０は、コンテンツの領域内に含まれるwebサイトのアンカーリンクや、チェックボックス等をオブジェクトとしてその座標情報を抽出する。なお、オブジェクト、及びその座標情報の抽出は、既存の技術を用いて行う。
【００４９】
さらに、オブジェクト抽出手段２０で抽出したオブジェクトの座標情報は、補助アイコン制御部３０へ送信される。
【００５０】
補助アイコン制御部３０は、記憶部６０を参照し、オブジェクト抽出部２０で抽出されたオブジェクトの座標情報に対応する補助アイコンを特定し、当該補助アイコンを当該オブジェクトとは別の領域に表示する（ステップＳ４）。ユーザが、各々のオブジェクトに対応する補助アイコンをタッチすると、コンテンツ制御部１０は、ユーザがタッチした補助アイコンに対応する処理を行う。
【００５１】
なお、本実施形態において、表示装置に表示されている画面のタッチは、ユーザの指で行っても良いし、ペンなどを用いて画面のタッチを行ってもよい。
【００５２】
以上、実施形態を参照して本願発明を説明してきたが、本願発明は、上記実施形態に限定されるものではない。本願発明の構成や詳細には、本願発明のスコープ内で当業者が理解しうるような様々な変更をすることができる。
＜第４の実施形態＞
図１３は、本実施形態に係る入力装置１００の構成を示す図である。本実施形態に係る入力装置１００は、コンテンツ制御部１０、オブジェクト抽出部２０、補助アイコン制御部３０、優先度算出部４０、受付部５０、及び記憶部６０を包含する。また、コンテンツ制御部１０、補助アイコン制御部３０、及び受付部５０は、図示しない表示装置に接続されている。また、コンテンツ制御部１０、補助アイコン制御部３０、及び受付部５０は、図示しない表示装置に接続されている。
【００５３】
本実施形態に係る記憶部６０には、予め各々のオブジェクト名、オブジェクト名に対応する処理を実行するためのアドレス情報、オブジェクトの開始位置と終了位置の座標情報と、オブジェクトの長さ、スコア、優先度、及びオブジェクトに対応する補助アイコンが記憶されている。さらに、記憶装置には、ユーザの指が表示装置にタッチした際に検出されたユーザの指の接触開始位置と終了位置を示す座標情報、及びタッチしている指の長さを記憶している。さらに、本実施形態に係る記憶部６０には、補助対象を示す領域のテンプレートが予め格納されている。補助対象となる領域とは、補助アイコンを表示したいオブジェクトを含んだ領域のことであり、ユーザによって任意に選択可能である。本実施形態に係る入力装置１００の各構成の説明は、前述した実施形態と同様のため、ここでは省略する。
【００５４】
図１４は、本実施形態に係る入力装置１００の動作手順を示す図である。コンテンツ制御部１０は、表示装置に表示されているコンテンツの座標情報を取得し、オブジェクト抽出部２０へ送信する（ステップＳ１）。
【００５５】
次に、ユーザは、表示装置に表示されているコンテンツの中から、補助アイコンを表示させたいオブジェクトを含む領域を選択し、当該領域の情報を受付部５０に送信する。受付部５０は、ユーザから受付けた領域の情報をオブジェクト抽出部２０へ送信する（ステップＳ２）。ユーザが領域を選択する方法としては、入力装置１００に実装されている機能である領域選択モードにより、ユーザが記憶部６０を参照し、補助対象を示すテンプレートの中から選択しても良い。また、ユーザが補助アイコンを表示させたいオブジェクトの付近をタッチすると、当該オブジェクトを含むようにある一定領域が特定され、ユーザが選択できるようにしても良い。
【００５６】
オブジェクト抽出部２０は、ユーザが選択した領域に含まれるオブジェクトを抽出し、抽出したオブジェクトの座標情報を優先度算出部４０へ送信する（ステップＳ３）。
【００５７】
優先度算出部４０は、オブジェクトの座標情報に対応するオブジェクトの長さと、ユーザの指のＸ軸方向、及びＹ軸方向の長さを所定の評価式に代入し、オブジェクトのスコアを算出し、当該スコアから当該オブジェクトの優先度を決定する。オブジェクトのスコア算出については、前述した実施形態と同様のため、ここでは説明を省略する。優先度算出部４０は、算出したオブジェクト優先度を補助アイコン制御部３０へ送信する。さらに、優先度算出部４０は、オブジェクトのスコア、及び優先度を記憶部６０に記憶する（ステップＳ４）。
【００５８】
補助アイコン制御部３０は、優先度算出部４０から受信したオブジェクトの優先度に対応する補助アイコンを記憶部６０から読み出し、当該オブジェクトとは別の領域に表示する（ステップＳ５）。
【００５９】
なお、本実施形態において、表示装置に表示されている画面のタッチは、ユーザの指で行っても良いし、ペンなどを用いて画面のタッチを行ってもよい。
【００６０】
以上、実施形態を参照して本願発明を説明してきたが、本願発明は、上記実施形態に限定されるものではない。本願発明の構成や詳細には、本願発明のスコープ内で当業者が理解しうるような様々な変更をすることができる。
【符号の説明】
【００６１】
１０    コンテンツ制御部
２０    オブジェクト抽出部
３０    補助アイコン制御部
４０    優先度算出部
５０    受付部
６０    記憶部
１００    入力装置
【図１】
2015156087.tif 000003
【図２】
2015156087.tif 000004
【図３】
2015156087.tif 000005
【図４】
2015156087.tif 000006
【図５】
2015156087.tif 000007
【図６】
2015156087.tif 000008
【図７】
2015156087.tif 000009
【図８】
2015156087.tif 000010
【図９】
2015156087.tif 000011
【図１０】
2015156087.tif 000012
【図１１】
2015156087.tif 000013
【図１２】
2015156087.tif 000014
【図１３】
2015156087.tif 000015
【図１４】
2015156087.tif 000016
【図１５】
2015156087.tif 000017